(57)【要約】【課題】根に土又は泥の付いた草から土又は泥を容易に分別することができる簡単な構造の草土分別装置を提供する。【解決手段】草を投入する投入口（２ａ）を上部に、土を排出する排出口（２ｂ）を下部に有する筐体（２）と、前記投入口（２ａ）と前記排出口（２ｂ）との間に位置し、前記筐体（２）の水平断面に沿って配置されるメッシュ（３）と、前記メッシュ（３）に対して所定間隔おいて前記投入口（２ａ）側に、駆動源（８）によって駆動される回転軸（７）に水平回転可能に軸支されるブレード（５）とを備える。【選択図】図１
2011004615.tif 000002
【特許請求の範囲】
【請求項１】
草を投入する投入口（２ａ）を上部に、土を排出する排出口（２ｂ）を下部に有する筐体（２）と、
前記投入口（２ａ）と前記排出口（２ｂ）との間に位置し、前記筐体（２）の水平断面に沿って配置されるメッシュ（３）と、
前記メッシュ（３）に対して所定間隔おいて前記投入口（２ａ）側に、駆動源（８）によって駆動される回転軸（７）に水平回転可能に軸支されるブレード（５）と
を備えることを特徴とする草土分別装置。
【請求項２】
前記ブレード（５，１５）は、棒状又は板状のブレード部材（５ａ，１５ａ）を有することを特徴とする請求項１記載の草土分別装置。
【請求項３】
前記ブレード（２５）は、前記ブレード部材（２５ａ，２５ｂ，２５ｃ）を複数有し、各ブレード部材（２５ａ，２５ｂ，２５ｃ）がその一端で結合して中心部（２５ｅ）を形成し、該中心部（２５ｅ）を中心として等角度で放射状に配置されることを特徴とする請求項１又は２記載の草土分別装置。
【請求項４】
前記ブレード（３５）は、前記ブレード部材（３５ａ，３５ｂ，３５ｃ）の隣り合う他端どうしが連結部材で連結されることを特徴とする請求項１〜３のいずれか１項記載の草土分別装置。
【発明の詳細な説明】
【技術分野】
【０００１】
本発明は、根に土の付いた草から土を分別する草土分別装置に関する。
【背景技術】
【０００２】
従来より、例えば菜園や庭の草取りは、鎌で根の下から草を取り、人手により鎌の柄で草根に付いた土を叩いて落とすことが行われている。
機械的に分別する装置としては、道路脇の切土や盛土に繁殖した雑草木を刈り取った後に行う表土鋤取り作業において、混入する土や草木根に付着している土を草木根から分別する草木根混入土の分別装置が開発されている（例えば、特許文献１参照。）。
【先行技術文献】
【特許文献】
【０００３】
【特許文献１】特開２００７−３１２６３２号公報
【発明の概要】
【発明が解決しようとする課題】
【０００４】
上記のような人手による方法は、特に冬の草は根が張っているので土が落ちにくく、困難な作業となる。それでもなお、叩いて落とそうとすると土が衣服にかかって汚れることがあり、土の付いた草を放置すると、再び根付いてしまうことがある。
【０００５】
上記のような分別装置は、作業機のフロントを構成するアームの先端に設けられる支持体と、該支持体に支持された分別ドラムとを有し、該分別ドラムは、回転側板と、該回転板から軸方向に突設された筒状の多孔胴部とから構成され、その内面には草木根混入土を転動させて攪拌するための分別ブレードが軸方向に沿って配設され、かつ、草木根混入土を破砕するための破砕ブレードが、分別ブレードに略直角に設けられている。このように構造が複雑であり、その使用には熟練が必要となるという課題がある。
【０００６】
本発明は、上記のような課題に鑑みてなされたものであり、根に土の付いた草から土を容易に分別する簡単な構造の草土分別装置を提供することを主目的とする。
【課題を解決するための手段】
【０００７】
本発明に係る草土分別装置は、草を投入する投入口（２ａ）を上部に、土を排出する排出口（２ｂ）を下部に有する筐体（２）と、前記投入口（２ａ）と前記排出口（２ｂ）との間に位置し、前記筐体（２）の水平断面に沿って配置されるメッシュ（３）と、前記メッシュ（３）に対して所定間隔おいて前記投入口（２ａ）側に、駆動源（８）によって駆動される回転軸（７）に水平回転可能に軸支されるブレード（５）とを備えることを特徴とする。
【０００８】
本発明によれば、投入口から投入された根に土又は泥（本明細書において単に「土」ということがある。）の付いた草は、筐体の水平断面に沿って配置されるメッシュ上で、該メッシュに対して所定間隔おいて投入口側に水平回転可能に軸支されるブレードの回転によって撹拌し、草根から土が外れて分離される。分離された土はメッシュを通って排出口から筐体の外へ排出される。
【０００９】
本発明において、ブレード（５，１５）は、棒状又は板状のブレード部材（５ａ，１５ａ）を有するのが好ましい。本発明によれば、ブレード部材が棒状又は板状であるので、簡単な構造の草土分別装置を提供できる。
【００１０】
本発明において、ブレード（２５）は、前記ブレード部材（２５ａ，２５ｂ，２５ｃ）を複数有し、各ブレード部材（２５ａ，２５ｂ，２５ｃ）がその一端で結合して中心部（２５ｅ）を形成し、該中心部（２５ｅ）を中心として等角度で放射状に配置されるのが好ましい。本発明によれば、複数のブレード部材が回転軸を中心として放射状に配置されるので、より低回転数で効率的に分離・分別することが可能になる。
【００１１】
本発明において、前記ブレード（３５）は、前記ブレード部材（３５ａ，３５ｂ，３５ｃ）の隣り合う他端どうしが連結部材で連結されるのが好ましい。本発明によれば、ブレード部材の他端が連結部材で連結されるので、ブレードの強度が向上する。
【発明の効果】
【００１２】
本発明に係る草土分別装置によれば、ブレードの回転により根に土の付いた草が撹拌されて、土が分離する。分離された土はメッシュを通り抜けて草と分別される。このことにより、根に土の付いた草から土を容易に分別することが可能となる簡単な構造の草土分別装置を提供できる。
【図面の簡単な説明】
【００１３】
【図１】本発明の第１の実施形態に係る草土分別装置１を示す縦断面図である。
【図２】図１におけるＡ−Ａ矢印方向からみた横断面図である。
【図３】本発明の第２の実施形態に係る草土分別装置１０の横断面図である。
【図４】本発明の第３の実施形態に係る草土分別装置２０の横断面図である。
【図５】本発明の第４の実施形態に係る草土分別装置３０の横断面図である。
【発明を実施するための形態】
【００１４】
以下、添付図面を参照しながら本発明の一実施形態について詳細に説明するが、本発明は、これに限定されて解釈されるものではなく、本発明の範囲を逸脱しない限りにおいて、当業者の知識に基づいて、種々の変更、修正、改良を加え得るものである。
［第1の実施形態］
【００１５】
図１は、本発明の第１の実施形態に係る草土分別装置１の縦断面を示し、図２は、図１のＡ−Ａ矢印の方向からみた横断面を示す。
第１の実施形態に係る草土分別装置１は、円筒形の筐体２とその内部に筐体２の水平断面を覆うように水平断面に沿って設置されるメッシュ３と、該メッシュ３の下部に回転軸７が筐体２の縦方向に沿うように配置される駆動源８と、メッシュ３より上部で水平回転可能に回転軸７に軸支されるブレード５とを備える。
【００１６】
筐体２は、その上面に蓋６を備え、該蓋６は、根に土の付いた草を投入する投入口２ａを有する。また、筐体２は、その底部に分別された土を排出する排出口２ｂを有する。
メッシュ３は、投入口２ａと排出口２ｂとの間にあって、平面円形状である。その中心部に直径約５ｃｍの孔（図示せず）が設けられ、該孔を通ってメッシュ３の下面から上面に回転軸７が突き出ている。
本実施形態では、駆動源８としてモータ８が使用され、該モータ８は、メッシュ３の下部に設置されるので、メッシュ３を通り抜けた土がかからないようにカバー９が備えられる。
【００１７】
ブレード５は、メッシュ３の上面と略平行に回転するように、その一端が回転軸７に固定して取り付けられる。ブレード５は、棒状のブレード部材５ａを有する。より具体的には、ブレード部材５ａは、直径４．０ｍｍのステンレス棒からなる。ブレード５とメッシュ３の間隔は０．１〜３．０ｃｍ、好ましくは０．５〜２．０ｃｍであり、本実施の態様では１．０ｃｍである。
メッシュ３の櫛目開きは、土と草を分別することができる大きさであればよく、５．０〜１０．０ｍｍが好ましい。本実施の態様では、８．０ｍｍである。
【００１８】
本実施形態に係る草土分別装置１の使用に際して、まずモータ８の電源（図示せず）を入れて、ブレード５の回転が一定になるまで数秒待つ。ブレード５の回転が安定したら、上部の投入口２ａから草取りをした後の根に土が付いた草を投入する。
投入された草は、回転しているブレード５によって撹拌され、ブレード５との衝突による衝撃と攪拌によって草根から土が外れる。
【００１９】
このようにして分離された土は、メッシュ３の櫛目を通って下方に落下し、排出口２ｂから排出する。草は、メッシュ３の櫛目を通過しないで、その上部に溜まる。こうして、草とその根に付いた土の分別が容易に達成できる。
メッシュ３の上部に溜まった草は、適宜、電源（図示せず）を止めて、ブレード５の回転が停止したことを確認後、上部の蓋６を外すことにより、人手にて外へ出す。
［第２の実施形態］
【００２０】
本発明の第２の実施形態に係る草土分別装置１０の縦断面は、図１と同じである。
図３は、その横断面、つまり図１のＡ−Ａ矢印の方向から見た横断面を示す。
本実施形態において、第１の実施形態に係る部材と同一部材については同一の符号を付し、その重複する説明は省略する。
【００２１】
本実施形態に係る草土分別装置１０は、ブレード１５が板状のブレード部材１５ａを有し、その板状面がメッシュ３の上面と略平行になるようにその一端が回転軸７に固定される。該回転軸７の回転によりブレード１５は、水平方向に回転し、投入された草を撹拌する。ブレード部材１５ａの幅及び厚さは適宜選択できるが、本実施の態様では、幅４．０ｃｍ、厚さ４．０ｍｍとする。その他の構成は第１の実施形態に係る草土分別装置１と同じである。
【００２２】
本実施形態に係る草土分別装置１０では、ブレード１５が板状であり、板状面がメッシュ３の上面に略平行となるように回転軸７に固定されるので、ブレード１５の強度が増し、回転時草が絡まりブレード１５が曲がるおそれは減少する。
［第３の実施形態］
【００２３】
図４は、本発明の第３の実施形態に係る草土分別装置２０の横断面を示す。
本実施形態において、第１の実施形態に係る部材と同一部材については同一の符号を付し、その重複する説明は省略する。
第３の実施形態に係る草土分別装置２０において、ブレード２５は、第２の実施形態に係る草土分別装置２０のブレード１５のブレード部材１５ａと同様な板状のブレード部材２５ａ，２５ｂ，２５ｃがその一端で結合して中心部２５ｅを形成し、該中心部２５ｅに孔が設けられる。ブレード部材２５ａ，２５ｂ，２５ｃは、該中心部２５ｅから等角度で放射状に配置され、その他端が１の円周上に等間隔に配置される。
回転軸７は、駆動源８によって駆動され、その一端は該孔を貫通する。該ブレード２５は、該回転軸７にメッシュ３の上面と略平行に回転するように支軸される。その他の構成は第１の実施形態に係る草土分別装置１と同じである。
【００２４】
本実施形態に係る草土分別装置２０では、ブレード２５の強度が増すとともに、回転軸７の回転数が１/３であっても、第１及び第２の実施形態に係る草土分別装置１，１０とほぼ同等な分別力を発揮することができる。
【００２５】
［第４の実施形態］
図５は、本発明の第４の実施形態に係る草土分別装置３０の横断面図を示す。
本実施形態において、第１の実施形態に係る部材と同一部材については同一の符号を付し、その重複する説明は省略する。
第４の実施形態に係る草土分別装置３０において、ブレード３５は、第３の実施形態に係る草土分別装置２０のブレード２５と同様に、板状のブレード部材３５ａ，３５ｂ，３５ｃがその一端で結合してなり、その他端が１の円周上に等間隔に配置される。そして、該ブレード部材３５ａ，３５ｂ，３５ｃの隣り合う他端どうしが連結部材３５ｄ，３５ｄ，３５ｄで互い連結される。該ブレード３５は、その中心部３５ｅに孔が開けられ、該孔を貫通した回転軸７にメッシュ３の上面と平行に回転するように支軸される。その他の構成は第１の実施形態に係る草土分別装置１と同じである。
【００２６】
本実施形態に係る草土分別装置３０では、ブレード３５の強度が増すとともに、回転軸７の回転数が１/３であっても、第１及び第２の実施形態に係る草土分別装置１０，２０とほぼ同等な分別力を発揮することができる。
【００２７】
なお、筐体２は円筒形に形成したが、それに限定されず、例えば六角形等の多角形の角筒状に形成してもよい。また、排出口２ｂは、草土分別装置１，１０，２０，３０の底部に設けたが、ダクトで導いて側面に設けてもよい。
【産業上の利用可能性】
【００２８】
以上説明したように、本発明によると根の張った草を鎌や鍬で根の下から取った後、草の根に付いている土を草と分別して取り除く分別装置として利用でき、該分別装置にキャスターを設けることにより、草の除去とともに菜園や庭を移動させることができる。
【符号の説明】
【００２９】
１，１０，２０，３０  草土分別装置
２                    筐体
２ａ                  投入口
２ｂ                  排出口
３                    メッシュ
５，１５，２５，３５  ブレード
６                    蓋
７                    回転軸
８                    駆動源，モータ
９                    カバー
３５ａ，３５ｂ，３５ｃ  ブレード部材
３５ｄ                連結部材
【図１】
2011004615.tif 000003
【図２】
2011004615.tif 000004
【図３】
2011004615.tif 000005
【図４】
2011004615.tif 000006
【図５】
2011004615.tif 000007